(57)【要約】【課題】  運転中のトレイ交換を安全に行えるようにする。【解決手段】  実施形態の整流装置は、サイリスタ素子を点弧するゲートパルスの出力又はその停止を行うパルス発生手段と、前記パルス発生手段が出力するゲートパルスの有無に応じて、前記サイリスタ素子を収納するトレイの引抜きに対する施解錠を行う施解錠手段とを具備する。【選択図】図１
2019161972.tif 000002
【特許請求の範囲】
【請求項１】
サイリスタ素子を点弧するゲートパルスの出力又はその停止を行うパルス発生手段と、
前記ゲートパルスの有無に応じて、前記サイリスタ素子を収納するトレイの引抜きに対する施解錠を行う施解錠手段と
を具備する、整流装置。
【請求項２】
前記施解錠手段は、
前記パルス発生手段がゲートパルスを出力しているときに、前記トレイの引抜きを行えなくし、
前記パルス発生手段がゲートパルスの出力を停止しているときに、前記トレイの引抜きを行えるようにする、
請求項１に記載の整流装置。
【請求項３】
前記サイリスタ素子を収納するトレイの通電電流の有無を監視する通電電流監視手段を更に具し、
前記施解錠手段は、前記トレイが無通電の状態にあり、かつ、前記パルス発生手段がゲートパルスの出力を停止している状態にあるときに、前記トレイの引抜きを行えるようにする、
請求項１又は２に記載の整流装置。
【請求項４】
前記トレイの引抜きの可否の状態を表示する表示手段を更に具備する、
請求項１乃至３のいずれか１項に記載の整流装置。
【請求項５】
前記トレイの引抜後の盤の開口部を塞ぐヒンジ付塞ぎ板を更に具備する、
請求項１乃至４のいずれか１項に記載の整流装置。
【請求項６】
請求項１乃至５のいずれか１項に記載の整流装置を備えた励磁装置。
【請求項７】
パルス発生手段により、サイリスタ素子を点弧するゲートパルスの出力又はその停止を行い、
施解錠手段により、前記パルス発生手段が出力するゲートパルスの有無に応じて、前記サイリスタ素子を収納するトレイの引抜きに対する施解錠を行う、
ことを含む、整流装置の保守方法。
【発明の詳細な説明】
【技術分野】
【０００１】
本発明の実施形態は、整流装置、励磁装置、および整流装置の保守方法に関する。
【背景技術】
【０００２】
同期機の励磁方式として、サイリスタ整流器を用いて交流電圧を直流電圧に変換し、同期機の界磁巻線に界磁電流を供給するサイリスタ励磁方式が広く用いられている。サイリスタ励磁方式に用いるサイリスタ整流器においては、運転中にサイリスタ素子の交換を行うオンラインメンテナンス要求が少なくない。
【０００３】
サイリスタ整流器は、ブリッジ回路単位で並列化を行うブリッジパラ方式と、サイリスタ素子のアーム単位で並列化を行うアームパラ方式に分類される。
【０００４】
アームパラ方式の３並列の場合の構成例を図１５に示す。
【０００５】
アームパラ方式のサイリスタ整流器１は、サイリスタ素子とヒューズを２個ずつ収納するトレイ１１ａ〜１１ｉと、サイリスタ整流器１の外部に設置された制御装置２が出力するゲートパルス点弧角指令信号３に応じたタイミングで６相のゲートパルス９０を出力するパルス発生器８０と、トレイ１１ａ〜１１ｉが発生する熱量を空気循環により外部へ放出する冷却ファン４で構成される。
【０００６】
トレイ１１ａは、交流電圧を入力する接続端子２１ａと、パルス発生器８０が出力するゲートパルス９０を入力する接続端子２４ａ、２５ａと、入力した交流電圧Ｕを直流電圧Ｐ、Ｎに変換する三相全波整流回路の一部を構成するサイリスタ素子１２ａ、１３ａと、各サイリスタ素子１２ａ、１３ａに直列接続されたヒューズ１４ａ、１５ａと、直流電圧Ｐ、Ｎを出力する接続端子２２ａ、２３ａで構成される。
【０００７】
トレイ１１ｂ〜１１ｉはトレイ１１ａと同一構成であり、各構成要素の符号は記号ａをそれぞれｂ〜ｉに置き換えたものである。
【０００８】
アームパラ方式では、並列化するトレイを近接して配置することが多い。このため、並列素子間の電流バランスは比較的とりやすい。また、サイリスタ整流器１内の全てのサイリスタ素子を一括で冷却しているため、冷却ファンの台数を並列素子数よりも少なくすることができる。その反面、パルス発生器８０や、冷却ファン４を部分的に停止できないため、運転中のトレイ交換が難しい。パルス発生器８０をブリッジ毎に分離して設けた場合でも、ゲートパルスを停止したトレイが分散して配置されているため、保守が可能なトレイを見誤る可能性がある。
【先行技術文献】
【特許文献】
【０００９】
【特許文献１】特開平８−１２６３２９号公報
【特許文献２】特開平８−１１６６７５号公報
【発明の概要】
【発明が解決しようとする課題】
【００１０】
アームパラ方式のサイリスタ整流器を収納するトレイの交換は、運転中に行うことが困難であるため、停止中に行うことを想定している。アームパラ方式のサイリスタ整流器を収納するトレイの交換を運転中に行うためには、ゲートパルスの部分的な停止が可能なパルス発生器や、トレイ交換中に他のトレイに悪影響を及ぼさないことが必要な条件となり、具体的には以下のようなことを考慮する必要がある。
【００１１】
例えば、ゲートパルスを入力したままゲート信号を開線すると、狭幅パルスによりサイリスタ素子を損傷する可能性がある。また、ゲートパルスを入力したままトレイを引抜くと、接続端子が大電流を遮断することになる。このため、運転中のトレイ交換は、トレイ内のサイリスタ素子へ入力するゲートパルスを停止した後に行う必要があり、パルス発生器は少なくともブリッジ単位でゲートパルスを停止できるようにする必要がある。
【００１２】
また、ゲートパルスが停止しているトレイを識別することが容易ではない。そのため、通電中のトレイを誤って引抜く可能性があり、これを防止する必要がある。
【００１３】
また、冷却ファンが全トレイに対し共通であるため、トレイ引抜後の盤本体の開口部からの空気の流入によりサイリスタ素子の冷却効果が低下する。また、開口部の奥に設置されている導体に触れる可能性がある。このため、トレイ引抜き後の開口部を速やかに塞ぐ必要がある。
【００１４】
本発明が解決しようとする課題は、運転中のトレイ交換を安全に行うことを可能にする整流装置、励磁装置、および整流装置の保守方法を提供することにある。
【課題を解決するための手段】
【００１５】
実施形態の整流装置は、サイリスタ素子を点弧するゲートパルスの出力又はその停止を行うパルス発生手段と、前記パルス発生手段が出力するゲートパルスの有無に応じて、前記サイリスタ素子を収納するトレイの引抜きに対する施解錠を行う施解錠手段とを具備する。
【発明の効果】
【００１６】
本発明によれば、運転中のトレイ交換を安全に行うことができる。
【図面の簡単な説明】
【００１７】
【図１】第１の実施形態に係るサイリスタ整流器の構成の一例を示す図。
【図２】同実施形態に係るサイリスタ整流器の外観の一例を示す図。
【図３】同実施形態におけるトレイ施錠用受座とリニアアクチュエータとの関係を示す図。
【図４Ａ】同実施形態においてトレイを施錠状態にするときのリニアアクチュエータのストローク部の様子を示す図。
【図４Ｂ】同実施形態においてトレイを解錠状態にするときのリニアアクチュエータのストローク部の様子を示す図。
【図５】同実施形態においてトレイを解錠するときの動作の一例を示す図。
【図６】同実施形態においてトレイを施錠するときの動作の一例を示す図。
【図７】第２の実施形態に係るサイリスタ整流器の構成の一例を示す図。
【図８】同実施形態においてトレイを解錠するときの動作の一例を示す図。
【図９】同実施形態においてトレイを施錠するときの動作の一例を示す図。
【図１０】第３の実施形態に係るサイリスタ整流器の構成の一例を示す図。
【図１１】同実施形態に係るサイリスタ整流器の外観の一例を示す図。
【図１２】同実施形態においてトレイを解錠するときの動作の一例を示す図。
【図１３】同実施形態においてトレイを施錠するときの動作の一例を示す図。
【図１４Ａ】第４の実施形態に係るサイリスタ整流器に備えられるヒンジ付塞ぎ板の取り付けを示す図。
【図１４Ｂ】同実施形態におけるヒンジ付塞ぎ板が持ち上げられる様子を示す図。
【図１４Ｃ】同実施形態におけるヒンジ付塞ぎ板が盤の開口部を塞ぐ様子を示す図。
【図１５】従来のアームパラ方式のサイリスタ整流器の構成の一例を示す図。
【発明を実施するための形態】
【００１８】
以下、実施の形態について、図面を参照して説明する。
【００１９】
［第１の実施形態］
最初に、図１乃至図６を参照して第１の実施形態について説明する。
【００２０】
（構成）
図１は、第１の実施形態に係るサイリスタ整流器の構成の一例を示す図である。また、図２は、同実施形態に係るサイリスタ整流器の外観の一例を示す図である。ここでは、前述した図１５の構成と共通する要素には同一の符号を付し、重複する説明を省略する。また、各図では、図示の複雑化を避けるため、一部の要素に対する符号の付記を省略している。
【００２１】
第１の実施形態に係るサイリスタ整流器１は、入力される三相の交流電圧Ｕ，Ｖ，Ｗを直流電圧Ｐ、Ｎに変換して出力する整流装置であり、励磁方式としてサイリスタ励磁方式を採用する同期機の励磁装置の一部を構成する。サイリスタ励磁方式では、当該サイリスタ整流器により交流電圧を直流電圧に変換し、同期機の界磁巻線に界磁電流を供給する。また、第１の実施形態に係るサイリスタ整流器１は、サイリスタ素子のアーム単位で並列化を行うアームパラ方式を採用したものである。
【００２２】
第１の実施形態のサイリスタ整流器１は、トレイ１１ａ〜１１ｉの施錠と解錠を行うリニアアクチュエータ（施解錠手段）３１ａ〜３１ｉと、トレイ施錠用受座３２ａ〜３２ｉとを更に備えている。
【００２３】
図２には、トレイ１１ａ〜１１ｉのうちのトレイ１１ｇがサイリスタ整流器１の盤本体からトレイ１１ｇが引き抜かれる様子が示されている。このトレイ１１ｇの背面下部には、トレイ施錠用受座３２ｇが取り付けられ、トレイ施錠用受座３２ｇに対応するリニアアクチュエータ３１ｇはサイリスタ整流器１の盤本体側に取り付けられている。
【００２４】
ここで、トレイ施錠用受座３２ｇとリニアアクチュエータ３１ｇとの関係を、図３の縦断面図に示す。リニアアクチュエータ３１ｇは、直線運動する（押し引き動作する）ストローク部３０ｇを備える。このストローク部３０ｇは、トレイ施錠用受座３２ｇの凹部に対して挿脱可能である。
【００２５】
リニアアクチュエータ３１ｇのストローク部３０ｇは、トレイ１１ｇがサイリスタ整流器１の盤本体に収納されているときに、トレイ施錠用受座３２ｇの凹部に挿入することができ、このときにトレイ１１ｇを施錠状態にする。このときのリニアアクチュエータ３１ｇのストローク部３０ｇの様子を図４Ａに示す。一方、リニアアクチュエータ３１ｇのストローク部３０ｇは、トレイ施錠用受座３２ｇの凹部から脱したときに、トレイ１１ｇを解錠状態にする。このときのリニアアクチュエータ３１ｇのストローク部３０ｇの様子を図４Ｂに示す。
【００２６】
また、第１の実施形態のサイリスタ整流器１は、前述したパルス発生器８０の代わりに、図１に示すように、ゲートパルス点弧角指令信号３に応じたタイミングで６相のゲートパルス９１の出力をトレイ１１ａ，１１ｄ，１１ｇに出力するパルス発生器８１と、ゲートパルス点弧角指令信号３に応じたタイミングで６相のゲートパルス９２をトレイ１１ｂ，１１ｅ，１１ｈに出力するパルス発生器８２と、ゲートパルス点弧角指令信号３に応じたタイミングで６相のゲートパルス９３をトレイ１１ｃ，１１ｆ，１１ｉに出力するパルス発生器８３を備えている。
【００２７】
パルス発生器８１，８２，８３は、通常運転中はそれぞれゲートパルス９１，９２，９３を出力するが、所定の操作もしくは指示に応じてそれぞれ対応するゲートパルスの出力を停止するゲートパルス停止機能を備え、ゲートパルス９１，９２，９３の停止中にはそれぞれゲートパルス停止信号４１，４２，４３を出力する。
【００２８】
制御装置２は、ゲートパルス停止信号４１，４２，４３を入力し、それぞれリニアアクチュエータ解錠信号５１，５２，５３を出力する。
【００２９】
リニアアクチュエータ３１ａ，３１ｄ，３１ｇは、それぞれリニアアクチュエータ解錠信号５１を入力し、ストローク部３０ａ，３０ｄ，３０ｇを、それぞれトレイ施錠用受座３２ａ，３２ｄ，３２ｇの凹部から引き抜く方向（解錠する方向）へ動作させる。
【００３０】
リニアアクチュエータ３１ｂ，３１ｅ，３１ｈは、それぞれリニアアクチュエータ解錠信号５２を入力し、ストローク部３０ｂ，３０ｅ，３０ｈを、それぞれトレイ施錠用受座３２ｂ，３２ｅ，３２ｈの凹部から引き抜く方向（解錠する方向）へ動作させる。
【００３１】
リニアアクチュエータ３１ｃ，３１ｆ，３１ｉは、それぞれリニアアクチュエータ解錠信号５３を入力し、ストローク部３０ｃ，３０ｆ，３０ｉを、それぞれトレイ施錠用受座３２ｃ，３２ｆ，３２ｉの凹部から引き抜く方向（解錠する方向）へ動作させる。
【００３２】
これらのリニアアクチュエータ３１ａ〜３１ｉは、対応するリニアアクチュエータ解錠信号５１，５２，５３を入力していないときは、ストローク部３０ａ〜３０ｉを、それぞれトレイ施錠用受座３２ａ〜３２ｉの凹部に挿入する方向（施錠する方向）に動作させる。
【００３３】
なお、図１では制御装置２がサイリスタ整流器１の外側に設置される場合を例示しているが、制御装置２はサイリスタ整流器１の内側に設置されるように構成してもよい。
【００３４】
（作用）
上記構成において、サイリスタ整流器１の運転中に交換を行うトレイのサイリスタ素子へのゲートパルスを停止すると、当該トレイが解錠され、そのトレイの引抜きが可能となる。
【００３５】
ここで、図５，図６を参照して、トレイ１１ｇを交換する場合の動作の一例を説明する。
【００３６】
トレイ１１ｇの交換時にはトレイ１１ｇの通電電流をゼロとするため、操作者がパルス発生器８１もしくは制御装置２に対して所定の操作を行う。これにより、パルス発生器８１のゲートパルス停止機能が起動され、ゲートパルス９１の出力がパルス発生器８１のゲートパルス停止機能により停止する（図５のＳ１）。
【００３７】
サイリスタ素子１２ｇ，１３ｇへ入力されているゲートパルス９１はサイリスタ素子１２ａ，１２ｄ，１３ａ，１３ｄにも入力されているため、ゲートパルス９１の出力を停止すると、トレイ１１ａ，１１ｄも通電電流がゼロとなる（Ｓ２）。
【００３８】
このとき、パルス発生器８１より制御装置２へゲートパルス停止信号４１が出力される（Ｓ３）。
【００３９】
制御装置２がゲートパルス停止信号４１を受信すると、リニアアクチュエータ３１ａ，３１ｄ，３１ｇへのリニアアクチュエータ解錠信号５１をオンの状態にする（Ｓ４）。これにより、リニアアクチュエータ３１ａ，３１ｄ，３１ｇのストローク部３０ｇが解錠する方向に動作し、トレイ１１ａ，１１ｄ，１１ｇが解錠される（Ｓ５）。
【００４０】
また、解錠されたトレイ１１ａ，１１ｄ，１１ｇを挿入した後、操作者がパルス発生器８１もしくは制御装置２に対して所定の操作を行うと、パルス発生器８１のゲートパルス停止機能が解除され（図６のＳ６）、ゲートパルス９１が出力され、トレイ１１ａ，１１ｄ，１１ｇが通電を開始する（Ｓ７）。
【００４１】
それと同時に、パルス発生器８１は制御装置２へのゲートパルス停止信号４１の出力を停止するため（Ｓ８）、リニアアクチュエータ３１ａ，３１ｄ，３１ｇへのリニアアクチュエータ解錠信号５１がオフの状態になる（Ｓ９）。これにより、トレイ１１ａ，１１ｄ，１１ｇが施錠される（Ｓ１０）。
【００４２】
（効果）
第１の実施形態によれば、通電中は各トレイを施錠するため、通電中のトレイが誤って引抜かれることが無くなり、各サイリスタ整流器の構成部品の損傷を防止することができる。
【００４３】
［第２の実施形態］
次に、図７乃至図９を参照して第２の実施形態について説明する。
【００４４】
（構成）
図７は、第２の実施形態に係るサイリスタ整流器の構成の一例を示す図である。ここでは、前述した第１の実施形態と共通する要素には同一の符号を付し、重複する説明を省略する。
【００４５】
第２の実施形態のサイリスタ整流器１は、トレイ１１ａ〜１１ｉの通電電流の有無を監視するための変流器（通電電流監視手段）３３ａ〜３３ｉを更に備え、制御装置２がゲートパルス停止信号４１，４２，４３および、トレイ通電電流信号６１，６２，６３がゼロであることを検出後、対応するトレイのリニアアクチュエータ解錠信号５１，５２，５３を出力する機能を更に備えている。なお、サイリスタ素子の短絡故障時にトレイ内のヒューズ１４ａ〜１４ｉ、またはヒューズ１５ａ〜１５ｉが切れた場合においてもトレイの通電電流の検出を可能とするため、変流器３３ａ〜３３ｉはトレイ１１ａ〜１１ｉの交流入力側に設置している。
【００４６】
なお、図７では制御装置２がサイリスタ整流器１の外側に設置される場合を例示しているが、制御装置２はサイリスタ整流器１の内側に設置されるように構成してもよい。
【００４７】
（作用）
上記構成においては、変流器３３ａ〜３３ｉより出力されるトレイ通電電流信号６１、６２、６３が制御装置２に取り込まれる。そして、サイリスタ整流器１の運転中に変流器の出力電流がゼロ、すなわち、トレイが無通電状態であり、かつ、ゲートパルスが停止されている場合にトレイが解錠される。
【００４８】
ここで、図８，図９を参照して、トレイ１１ｇを交換する場合の動作の一例を説明する。
【００４９】
トレイ１１ｇの交換時にはトレイ１１ｇの通電電流をゼロとするため、操作者がパルス発生器８１もしくは制御装置２に対して所定の操作を行う。これにより、パルス発生器８１のゲートパルス停止機能が起動され、サイリスタ素子１２ｇ，１３ｇへ入力されているゲートパルス９１の出力がパルス発生器８１により停止する（図８のＳ１）。
【００５０】
ゲートパルス９１はサイリスタ素子１２ａ，１２ｄ，１３ａ，１３ｄにも入力されているため、ゲートパルス９１の出力を停止すると、トレイ１１ａ，１１ｄも通電電流がゼロとなり、変流器３３ａ，３３ｄ，３３ｇから制御装置２へのトレイ通電電流信号６１の出力がゼロとなる（Ｓ２’）。
【００５１】
このとき、パルス発生器８１より制御装置２へゲートパルス停止信号４１が出力される（Ｓ３）。
【００５２】
制御装置２がゲートパルス停止信号４１を受信し、トレイ通電電流信号６１がゼロであることを検出すると、リニアアクチュエータ３１ａ，３１ｄ，３１ｇへのリニアアクチュエータ解錠信号５１をオンの状態にする（Ｓ４）。これにより、リニアアクチュエータ３１ａ，３１ｄ，３１ｇのストローク部３０ｇが解錠する方向に動作し、トレイ１１ａ，１１ｄ，１１ｇが解錠される（Ｓ５）。
【００５３】
また、解錠されたトレイ１１ａ，１１ｄ，１１ｇを挿入した、操作者がパルス発生器８１もしくは制御装置２に対して所定の操作を行うと、パルス発生器８１のゲートパルス停止機能が解除され（図９のＳ６）、ゲートパルス９１が出力され、トレイ１１ａ，１１ｄ，１１ｇが通電を開始し、変流器３３ａ，３３ｄ，３３ｇから制御装置２へのトレイ通電電流信号６１の出力がゼロではなくなる（Ｓ７’）。
【００５４】
それと同時に、パルス発生器８１は制御装置２へのゲートパルス停止信号４１の出力を停止するため（Ｓ８）、リニアアクチュエータ３１ａ，３１ｄ，３１ｇへのリニアアクチュエータ解錠信号５１がオフの状態になる（Ｓ９）。これにより、トレイ１１ａ，１１ｄ，１１ｇが施錠される（Ｓ１０）。
【００５５】
（効果）
第２の実施形態によれば、各トレイの引抜き条件を強化しており、各パルス発生器によるゲートパルス停止操作後、各トレイが確実に無通電状態であること確認した上で、各トレイの引抜きを行えるようにするため、安全性をより一層高めることができる。
【００５６】
［第３の実施形態］
次に、図１０乃至図１３を参照して第２の実施形態について説明する。なお、この第３の実施形態は、前述した第２の実施形態と組み合わせて実施することができる。
【００５７】
（構成）
図１０は、第３の実施形態に係るサイリスタ整流器の構成の一例を示す図である。また、また、図１１は、同実施形態に係るサイリスタ整流器の外観の一例を示す図である。ここでは、前述した第１の実施形態と共通する要素には同一の符号を付し、重複する説明を省略する。
【００５８】
第３の実施形態のサイリスタ整流器１は、トレイの引抜きの可否の状態を表示するパイロットランプ（表示手段）３４ａ〜３４ｉを更に備え、制御装置２がゲートパルス停止信号４１，４２，４３に応じ、パイロットランプ点灯信号７１，７２，７３を出力する機能を更に備えている。
【００５９】
（作用）
上記構成においては、サイリスタ整流器１の運転中のトレイの解錠時に、制御装置２は解錠したトレイに対応するパイロットランプへのパイロットランプ点灯信号をオンの状態にし、対応するパイロットランプを点灯する。
【００６０】
ここで、図１２，図１３を参照して、トレイ１１ｇを交換する場合の動作の一例を説明する。
【００６１】
トレイ１１ｇの交換時にはトレイ１１ｇの通電電流をゼロとするため、操作者がパルス発生器８１もしくは制御装置２に対して所定の操作を行う。これにより、パルス発生器８１のゲートパルス停止機能が起動され、ゲートパルス９１の出力がパルス発生器８１のゲートパルス停止機能により停止する（図１２のＳ１）。
【００６２】
サイリスタ素子１２ｇ，１３ｇへ入力されているゲートパルス９１はサイリスタ素子１２ａ，１２ｄ，１３ａ，１３ｄにも入力されているため、ゲートパルス９１の出力を停止すると、トレイ１１ａ，１１ｄも通電電流がゼロとなる（Ｓ２）。
【００６３】
このとき、パルス発生器８１より制御装置２へゲートパルス停止信号４１が出力される（Ｓ３）。
【００６４】
制御装置２がゲートパルス停止信号４１を受信すると、リニアアクチュエータ３１ａ，３１ｄ，３１ｇへのリニアアクチュエータ解錠信号５１と、パイロットランプ３４ａ，３４ｄ，３４ｇへのパイロットランプ点灯信号７１をオンの状態にする（Ｓ４’）。これにより、リニアアクチュエータ３１ａ，３１ｄ，３１ｇのストローク部３０ｇが解錠する方向に動作し、トレイ１１ａ，１１ｄ，１１ｇが解錠され、パイロットランプ３４ａ，３４ｄ，３４ｇを点灯する（Ｓ５’）。
【００６５】
また、解錠されたトレイ１１ａ，１１ｄ，１１ｇを挿入した後、操作者がパルス発生器８１もしくは制御装置２に対して所定の操作を行うと、パルス発生器８１のゲートパルス停止機能が解除され（図１３のＳ６）、ゲートパルス９１が出力され、トレイ１１ａ，１１ｄ，１１ｇが通電を開始する（Ｓ７）。
【００６６】
それと同時に、パルス発生器８１は制御装置２へのゲートパルス停止信号４１の出力を停止するため（Ｓ８）、リニアアクチュエータ３１ａ，３１ｄ，３１ｇへのリニアアクチュエータ解錠信号５１と、パイロットランプ３４ａ，３４ｄ，３４ｇへのパイロットランプ点灯信号７１がオフの状態になる（Ｓ９’）。これにより、トレイ１１ａ，１１ｄ，１１ｇが施錠され、パイロットランプ３４ａ，３４ｄ，３４ｇが消灯する（Ｓ１０’）。
【００６７】
なお、図１０では制御装置２がサイリスタ整流器１の外側に設置される場合を例示しているが、制御装置２はサイリスタ整流器１の内側に設置されるように構成してもよい。
【００６８】
（効果）
第３の実施形態によれば、各トレイの施錠状態を視覚的に把握することが可能となり、通電中のトレイが誤って引抜かれることをより一層確実に防止することができる。
【００６９】
［第４の実施形態］
次に、前述の図２を参照するとともに、図１４Ａ，図１４Ｂ，図１４Ｃを参照して第４の実施形態について説明する。なお、この第４の実施形態は、前述した第２，第３の実施形態と組み合わせて実施することができる。
（構成）
第４の実施形態のサイリスタ整流器１は、運転中でのトレイ１１の引抜後の盤の開口部を速やかに塞ぐためのヒンジ付塞ぎ板３５を更に備える。ヒンジ付塞ぎ板３５は、ヒンジ部３６を有する。ヒンジ付塞ぎ板３５は、絶縁物で構成されており、ヒンジ部３６を介してサイリスタ整流器１の盤本体表面に対して着脱可能である。なお、トレイ１１は、前述したトレイ１１ａ〜１１ｉのうちの任意の一つであることを意味する。
【００７０】
（作用）
トレイ交換時には、図１４Ａに示すように、ヒンジ付塞ぎ板３５のヒンジ部３６がトレイ１１の上方の盤本体表面に、例えばボルト、ナット等を用いて取付けられる。
【００７１】
トレイ１１の引抜作業中には、図１４Ｂに示すように、ヒンジ付塞ぎ板３５はトレイ１１に持ち上げられ、トレイ１１の上縁部に沿う形となる。
【００７２】
そして、トレイ１１を完全に引き抜いた後には、図１４Ｃに示すように、ヒンジ付塞ぎ板３５は重力と開口部に吸気される冷却風により、自動で盤の開口部を塞ぐ。
【００７３】
これにより、トレイ１１が引き抜かれた後の盤本体の開口部へ冷却ファン４による冷却風が集中的に流れ込むことが防止される。
【００７４】
トレイ１１を盤内に挿入する際には、作業をし易くするため、ヒンジ付塞ぎ板３５を完全に取外した状態でトレイ１１を挿入するようにしてもよい。
【００７５】
（効果）
第４の実施形態によれば、トレイ引抜後の盤面の開口部を速やかに塞ぐことが可能となり、トレイ交換時において、通電中のトレイへの冷却能力の低下を防止できる。また、トレイ引抜後の開口部の奥に設置されている導体の露出を防止し、トレイ交換時の感電を防止することができるため、安全性をより一層高めることができる。
【００７６】
以上詳述したように、各実施形態によれば、運転中のトレイ交換を安全に行うことができる。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
１…サイリスタ整流器、２…制御装置、４…冷却ファン、１１，１１ａ〜１１ｉ…トレイ、１２ａ〜１２ｉ，１３ａ〜１３ｉ…サイリスタ素子、１４ａ〜１４ｉ，１５ａ〜１５ｉ…ヒューズ、２１ａ〜２１ｉ，２２ａ〜２２ｉ，２３ａ〜２３ｉ，２４ａ〜２４ｉ，２５ａ〜２５ｉ…接続端子、３０ａ〜３０ｉ…スロトーク部、３１ａ〜３１ｉ…リニアアクチュエータ、３２ａ〜３２ｉ…トレイ施錠用受座、３３ａ〜３３ｉ…変流器、３４ａ〜３４ｉ…パイロットランプ、３５…塞ぎ板、３６…ヒンジ、８１〜８３…パルス発生器。
【図１】
2019161972.tif 000003
【図２】
2019161972.tif 000004
【図３】
2019161972.tif 000005
【図４Ａ】
2019161972.tif 000006
【図４Ｂ】
2019161972.tif 000007
【図５】
2019161972.tif 000008
【図６】
2019161972.tif 000009
【図７】
2019161972.tif 000010
【図８】
2019161972.tif 000011
【図９】
2019161972.tif 000012
【図１０】
2019161972.tif 000013
【図１１】
2019161972.tif 000014
【図１２】
2019161972.tif 000015
【図１３】
2019161972.tif 000016
【図１４Ａ】
2019161972.tif 000017
【図１４Ｂ】
2019161972.tif 000018
【図１４Ｃ】
2019161972.tif 000019
【図１５】
2019161972.tif 000020